(57)【特許請求の範囲】
【請求項１】
照明器具本体にランプと反射板を内蔵させて形成される照明器具において、ランプ全体を反射板の前側に配置し、アルミニウム製の封止部カバーを反射板の後方に設けた固定板に固定することによって封止部カバーを照明器具本体に取り付け、封止部カバーに形成したカバー部を反射板の前側に配置すると共にカバー部をランプの封止部と反射板との間に介在させ、封止部カバーの反射板側の表面を光を吸収し易い光吸収面として形成して成ることを特徴とする照明器具。
【請求項２】
上記アルミニウム製の封止部カバーとしてアルミニウムダイカストを用いて成ることを特徴とする請求項１に記載の照明器具。
【請求項３】
ランプの端子と照明器具本体の内部配線とを接続するためのソケットを封止部カバーに取り付けて成ることを特徴とする請求項１又は２に記載の照明器具。
【発明の詳細な説明】
【０００１】
【発明の属する技術分野】
本発明は、競技場などの屋外で投光器として使用される照明器具に関するものである。
【０００２】
【従来の技術】
図７には従来から投光器として用いられている照明器具を示してある。照明器具本体１は、前面が透光面１１として形成されると共に後面の略全面を開口部１２として開口させて形成される前部本体２と、前部本体２の開口部１２を閉塞する後部本体３とで構成されている。前部本体２の内周面は光を反射する反射面として形成されると共に後部本体３の前面には前側に凹曲する反射板３４が取り付けられている。またランプ５は反射板３４の前側に配置されている。
【０００３】
ランプ５は、両端部に端子を有するダブルエンド型で放電型のランプで形成されており、ガラス製の筒体で形成されるランプ本体５ａの両端開口にプラスチック製の封止部材５ｂを挿着することによって、ランプ本体５ａを封止部材５ｂで封止して形成されている。図８（ａ）にはランプ５の取付構造の一例の概略図が示してある。このものではランプ５の両端部を反射板３４よりも外側に突出させてランプ５を前部本体２の開口部１２に取り付けるように形成されている。
【０００４】
しかし図８（ａ）に示す従来例では、反射板３４よりも外側に突出させてランプ５を前部本体２に取り付けるようにしてあるので、照明器具本体１の外部にランプ５の端部が突出しないように前部本体２を大きく形成しなければならず、小型化を図ることができないという問題があった。
そこで図８（ｂ）に示すように、後部本体３の内部に固定板２１を設けると共に固定板２１の前面にアルミニウム板製の一対のランプ取付台４５を対向させて固定し、各ランプ取付台４５の先端を反射板３４に貫通させて反射板３４の前側に突出させ、ランプ取付台４５の先端の間にランプ５を配置すると共にランプ５の各封止部材５ｂを両方のランプ取付台４５にそれぞれ貫通させて固定することによって、ランプ取付台４５にランプ５を取り付けるようにしてある。この照明器具では、ランプ５を反射板３４の前側に収めることができ、小型化することができるものである。
【０００５】
【発明が解決しようとする課題】
しかし図８（ｂ）に示す従来例では、反射板３４で反射された光がランプ本体５ａと封止部材５ｂの接合部分である封止部２０にあたって封止部２０の許容温度を超えてしまう恐れがあり、ランプ５が短寿命となったりランプ５が点灯しない（不点）などの破損を引き起こすという問題があった。
【０００６】
本発明は上記の点に鑑みてなされたものであり、ランプの短寿命化や破損を防止することができる照明器具を提供することを目的とするものである。
【０００７】
【課題を解決するための手段】
本発明の請求項１に記載の照明器具Ａは、照明器具本体１にランプ５と反射板３４を内蔵させて形成される照明器具において、ランプ５全体を反射板３４の前側に配置し、アルミニウム製の封止部カバー１０を反射板３４の後方に設けた固定板７５に固定することによって封止部カバー１０を照明器具本体１に取り付け、封止部カバー１０に形成したカバー部１０ｂを反射板３４の前側に配置すると共にカバー部１０ｂをランプ５の封止部２０と反射板３４との間に介在させ、封止部カバー１０の反射板３４側の表面を光を吸収し易い光吸収面として形成して成ることを特徴とするものである。
【０００８】
また本発明の請求項２に記載の発明は、請求項１の構成に加えて、上記アルミニウム製の封止部カバー１０としてアルミニウムダイカストを用いて成ることを特徴とするものである。
また本発明の請求項３に記載の発明は、請求項１又は２の構成に加えて、ランプ５の端子５５と照明器具本体１の内部配線２５とを接続するためのソケット２７を封止部カバー１０に取り付けて成ることを特徴とするものである。
【０００９】
【発明の実施の形態】
以下、本発明の実施の形態を説明する。
本発明の照明器具Ａは図９に示す従来例とほぼ同等の外観を有するものであり、図２（ａ）（ｂ）に示すように照明器具本体１は前部本体２と後部本体３で構成されている。前部本体２は成形材料であるアルミニウムダイカストを用いて作成されており、その表面には腐食防止のための塗装が施されている。また前部本体２は前側ほど径の大きな筒体であって、その前面と後面は開口されていると共にその内面は光を反射する反射面として形成されている。
【００１０】
前部本体２の前面の開口２ａには透明のガラス板３０が取り付けられており、前部本体２の前面の開口縁部にネジ３１で取り付けられる円形の取り付け枠３５と前部本体２の前面の開口縁部とでガラス板３０の周端部が挟持されて固定されている。また前部本体２の内部にはランプ５で発生する光を配光制御するための補助反射板３２が設けられている。さらに前部本体２の上面の両側には前部本体２の後面の開口の縁部を上方に屈曲させて係止片が形成されていると共に、前部本体２の下面には連結片が後方に突出させて設けられている。
【００１１】
後部本体３は成形材料であるアルミニウムダイカストを用いて作成されており、その表面には腐食防止のための塗装が施されている。後部本体３の前面には反射板３４が取り付けられている。この反射板３４は後部本体３の前後方向の中心線を軸として軸に対して左右対称に後方に凸曲させて構成されている。また後部本体３の上面の両側には突出部が設けられていると共に突出部の前面には断面略倒Ｌ型の結合金具３８の後端が枢着してあり、突出部に対して結合金具３８が上下に回動自在に取り付けられている。この結合金具３８の前端には後方に突出する係合片が形成されている。また突出部の後方において後部本体３の上面には取手部４０が設けられていると共に後部本体３の下面には接続ボックス４１が配設されている。
【００１２】
この後部本体３の内部には封止部カバー１０が設けられている。封止部カバー１０はアルミダイカストを成形して得られるものであり、黒色に塗装してある。図６（ａ）に示すように前面と両側面が開口するコ字型に形成されるカバー部１０ａと、カバー部１０ａの外側端部の下面に連設される保持片１０ｂと、保持片１０ｂの下端に連設される断面コ字型の取付台１０ｃで形成されている。カバー部１０ａの内部には、前側に開口する半円状の嵌め込み凹部７０を設けた位置決め片７１が形成されている。また取付台１０ｃの前面にはソケット２７が設けられていると共にソケット２７の前面には上記カバー部１０ａの外側の側面の開口にまで到達する取付片１５が形成されている。そして取付台１０ｃを反射板３４の後方に設けたアルミニウム板で形成される固定板７５にネジ７６で固定すると共に反射板３４に設けたカバー突出口７７からカバー部１０ａを反射板３４の前側に突出させることによって、一対の封止カバー１０を照明器具本体１内の両側に取り付けてある。
【００１３】
図５（ａ）にはこの実施の形態で使用されるランプ５の一例が示してある。ランプ５は、両端に端子５５を有するダブルエンド型で放電型のランプであって、横方向に長い中空の放電部５０と放電部５０の両側に連設される板部５１とで構成されるガラス製のランプ本体５ａと、プラスチック製の封止部材５ｂとで形成されており、各板部５１に設けた凹部５２に封止部材５ｂを嵌着してランプ本体５ａを封止部材５ｂで封止したものである。そして板部５１と封止部材５ｂの接合部分にランプ５の封止部２０（直接目では見えない）が形成されている。また放電部５０の内部には一対の電極５３が対向させて設けてあると共に各電極５３にはリード線５４がそれぞれ接続されており、このリード線５４は板部５１と封止部材５ｂを貫通させてランプ５の外部に引き出されていると共に引き出した各リード線５４の端部にはコ字型の端子５５が取り付けてある。そして端子５５及びリード線５４を介して各電極５３に高い電圧をかけて放電させることによってランプ５を発光させることができる。
【００１４】
このランプ５は、ランプ５の両端を結ぶランプ５の軸と上記反射板３４の軸とが垂直に交わるように反射板３４の前側に配置し、ランプ５の封止部材５ｂを封止部カバー１０のカバー部１０ａの前側の開口からカバー部１０ａの内部に嵌め込むと共に封止部材５ｂを位置決め片７１の嵌め込み凹部７０に嵌合し、ランプ５の封止部材５ｂの端部をソケット２７に設けた取付片１５に固定することによって、ランプ５の両端部をソケット２７で支持して照明器具本体１の後部本体３の内部に取り付けることができる。尚、この時反射板３４の焦点にランプ５の電極５３の放電（アーク）の中心が位置するようにランプ５は照明器具本体１に取り付けられる。
【００１５】
またランプ５のリード線５４に設けた端子５５はソケット２７において照明器具本体１の内部配線２５と接続されている。内部配線２５は、ランプ５のリード線５４とともにソケット２７に一端が取り付けられてリード線５４と接続される内部電線８０と、内部電線８０の他端が接続されるボルトナット４５と、ボルトナット４５の端部に設けた圧着端子４４と接続される中継電線４３とで構成されており、中継電線４３は照明器具本体１内から接続ボックス４１に導入され、接続ボックス４１内で安定器を介して電源と接続される外部配線と接続される。
【００１６】
上記照明器具Ａでは、ランプ５全体を反射板３４の前側に配設したので、ランプ５が反射板３４よりも大きくならないようにすることができ、小型化を図ることができる。またランプ５の端部をカバー部１０ａ内に収めてランプ５の封止部２０と反射板３４との間に封止部カバー１０を介在させたので、封止部カバー１０のカバー部１０ａで反射板３４からの反射光を遮断して封止部２０に当たらないようにすることができ、封止部２０の温度上昇を抑えることができる。また封止部カバー１０は黒色に塗装されていて表面を光を吸収し易い光吸収面として形成してあるので、封止部カバー１０による反射板３４からの反射光を吸収効率を高めることができ、封止部２０の温度上昇を抑えることができる。
【００１７】
さらに封止部カバー１０は、アルミニウム製の固定板７５を介して照明器具本体１に取り付けられているので、光を吸収することによって生じる熱を固定板７５を通じて照明器具本体１に伝導させて照明器具本体１から熱を放熱させることができ、封止部カバー１０自身の温度も高くならないようにして封止部２０の温度上昇を抑えることができる。また封止部カバー１０にソケット２７を取り付けることによって、ランプ５の温度上昇を抑える封止部カバー１０を利用してソケット２７を取り付けることができ、封止部カバー１０とソケット取付台とを兼用して部品の点数を少なくすることができる。さらに封止部カバー１０はアルミダイカストで形成されているので、アルミニウム板を折り曲げ加工して作成される従来のランプ取付台よりも寸法精度を高くすることができ、ランプ５の取付位置の精度を向上させることができる。
【００１８】
【発明の効果】
上記のように本発明の請求項１に記載の発明は、ランプ全体を反射板の前側に配置し、アルミニウム製の封止部カバーを反射板の後方に設けた固定板に固定することによって封止部カバーを照明器具本体に取り付け、封止部カバーに形成したカバー部を反射板の前側に配置すると共にカバー部をランプの封止部と反射板との間に介在させ、カバー部の反射板側の表面を光を吸収し易い光吸収面として形成したので、封止部カバーのカバー部で反射板からの反射光を遮断して封止部に当たらないようにすることができ、封止部の許容温度以上に封止部が温度上昇するのを抑えてランプの短寿命化や破損を防止することができるものである。また封止部カバーを反射板の後方に設けた固定板に固定して照明器具本体に取り付けることによって、光の吸収によって発生した熱を、封止部カバーから固定板を通じて照明器具本体へと伝導させて照明器具本体から熱を放熱させることができ、封止部カバーの温度上昇を抑えて封止部の許容温度以上に封止部が温度上昇するのを防止することができるものである。さらに封止部カバーの反射板側を光吸収面とすることによって、封止部カバーの光の吸収効率を高めることができ、封止部への光の影響を少なくすることができるものである。
【００１９】
また本発明の請求項２に記載の発明は、上記アルミニウム製の封止部カバーとしてアルミニウムダイカストを用いたので、アルミニウムを折り曲げ成形して封止部カバーを形成するよりも寸法精度を高めることができ、ランプの取付位置の精度を向上させることができるものである。
また本発明の請求項３に記載の発明は、ランプの端子と照明器具本体の内部配線とを接続するためのソケットを封止部カバーに取り付けたので、ランプの温度上昇を抑える封止部カバーを利用してソケットを取り付けることができ、封止部カバーとソケット取付台とを兼用して部品の点数を少なくすることができるものである。
【図面の簡単な説明】
【図１】本発明の一実施の形態を示す一部の断面図である。
【図２】（ａ）は同上の前方から見た斜視図、（ｂ）は同上の後方から見た斜視図である。
【図３】同上の平面断面図である。
【図４】同上の一部の正面図である。
【図５】（ａ）は同上のランプの斜視図、（ｂ）は同上のランプの端部を示す一部の平面図である。
【図６】（ａ）は同上の封止部カバーの先端を示す側面図、（ｂ）は断面図である。
【図７】従来例の斜視図である。
【図８】（ａ）は従来例を示す概略図、（ｂ）は他の従来例を示す断面図である。
【符号の説明】
１  照明器具本体
５  ランプ
１０  封止部カバー
１０ｂ  カバー部
２０  封止部
２５  内部配線
２７  ソケット
３４  反射板
７５  固定板
【図１】
0003752715.tif 000002
【図２】
0003752715.tif 000003
【図３】
0003752715.tif 000004
【図４】
0003752715.tif 000005
【図５】
0003752715.tif 000006
【図６】
0003752715.tif 000007
【図７】
0003752715.tif 000008
【図８】
0003752715.tif 000009